(57)【特許請求の範囲】
【請求項１】
複数の水平な昇降口付き足場板を所要鉛直方向間隔で階層状に組み立て，前記各足場板の昇降口周縁に扉板を９０度開放可能にヒンジ結合し，前記各足場板の昇降口近傍に下階層へ続く梯子を接続した仮設足場において，前記扉板の自由辺に第１ワイヤ及び第２ワイヤの一端をそれぞれ固定し，前記第１ワイヤの他端を扉板の上面及びヒンジ結合辺を介して下層へ吊り下げると共に吊り下げ端に所要重量のウェイトを取り付け，前記第２ワイヤの他端を扉板の下面から下層へ吊り下げ，前記扉板の開放時に扉板又は第２ワイヤに閉鎖方向の力を加えるまで第１ワイヤのウェイト重量により扉板を開放位置に保持し，前記扉板の閉鎖時に扉板又は第１ワイヤに開放方向の力を加えるまで扉板の自重により扉板を閉鎖位置に保持してなる仮設足場の昇降口扉板の開閉方法。
【請求項２】
請求項１の方法において，前記扉板のヒンジ結合辺近傍の所要高さ位置に滑車を設け，前記第１ワイヤの他端を扉板の上面及び滑車を介して下層へ吊り下げてなる仮設足場の昇降口扉板の開閉方法。
【請求項３】
請求項２の方法において，前記滑車を，前記各足場板と交差する鉛直方向に配置された足場建枠の鉛直部材に取り付けてなる仮設足場の昇降口扉板の開閉方法。
【請求項４】
請求項１から３の何れかの方法において，前記足場板の昇降口近傍に鉛直方向に配置された足場建枠の鉛直部材を設け，前記第１ワイヤの吊り下げ端に足場建枠の鉛直部材に沿って滑るガイド部材を取り付けてなる仮設足場の昇降口扉板の開閉方法。
【請求項５】
請求項１から４の何れかの方法において，前記第１ワイヤ及び第２ワイヤを，前記扉板の自由辺に中央部が固定された単独のワイヤの両端部としてなる仮設足場の昇降口扉板の開閉方法。
【請求項６】
所要鉛直方向間隔で階層状に組み立てた複数の水平な昇降口付き足場板と，前記各足場板の昇降口周縁に９０度開放可能にヒンジ結合した扉板と，前記各足場板の昇降口近傍に接続した下階層へ続く梯子とを有する仮設足場において，前記扉板の自由辺に一端を固定して他端を扉板の上面及び結合辺を介して下層へ吊り下げる第１ワイヤ，前記扉板の自由辺に一端を固定して他端を扉板の下面から下層へ吊り下げる第２ワイヤ，及び前記第１ワイヤの吊り下げ端に取り付ける所要重量のウェイトを備え，前記扉板の開放時に扉板又は第２ワイヤに閉鎖方向の力を加えるまで第１ワイヤのウェイト重量により扉板を開放位置に保持し，前記扉板の閉鎖時に扉板又は第１ワイヤに開放方向の力を加えるまで扉板の自重により扉板を閉鎖位置に保持してなる仮設足場の昇降口扉板の開閉装置。
【請求項７】
請求項６の装置において，前記扉板のヒンジ結合辺近傍の所要高さ位置に滑車を設け，前記第１ワイヤの他端を扉板の上面及び滑車を介して下層へ吊り下げてなる仮設足場の昇降口扉板の開閉装置。
【請求項８】
請求項７の装置において，前記滑車を，前記各足場板と交差する鉛直方向に配置された足場建枠の鉛直部材に取り付けてなる仮設足場の昇降口扉板の開閉装置。
【請求項９】
請求項６から８の何れかの装置において，前記足場板の昇降口近傍に鉛直方向に配置された足場建枠の鉛直部材を設け，前記第１ワイヤの吊り下げ端に足場建枠の鉛直部材に沿って滑るガイド部材を取り付けてなる仮設足場の昇降口扉板の開閉装置。
【請求項１０】
請求項６から９の何れかの装置において，前記第１ワイヤ及び第２ワイヤを，前記扉板の自由辺に中央部が固定された単独のワイヤの両端部としてなる仮設足場の昇降口扉板の開閉装置。
【発明の詳細な説明】
【技術分野】
【０００１】
本発明は仮設足場の昇降口扉板の開閉方法及び装置に関し，とくに高所作業を伴う工事現場等で用いる仮設足場の昇降口扉板を開閉する方法及び装置に関する。
【背景技術】
【０００２】
高所作業を伴う建築・土木構造物の工事現場において，作業員が高所へ安全に接近できるように，図５に示すような仮設の作業用足場（以下，仮設足場という）が使用されている（特許文献１〜５参照）。図示例の仮設足場１は，例えば鋼管製の足場建枠７を鉛直方向に連結し，図５（Ａ）に示すような布板状の昇降口３付き足場板２を足場建枠７へ水平に取り付けることにより組み立てる。図示例の足場板２の両端部には係止フック４，４が突設されており，足場板２の両端部の係止フック４，４を足場建枠７の横部材９にそれぞれ係止して水平に取り付けることにより，図５（Ｃ）に示すように，水平な足場板２が所要鉛直方向間隔（例えば２〜４ｍ間隔）で階層状に配置された仮設足場１を組み立てることができる。
【０００３】
次いで，各足場板２の昇降口３の周縁にそれぞれ，図５（Ｂ）に示すような扉板５を９０度程度開放可能にヒンジ結合する。図示例の昇降口扉板５は，その対向する２辺に昇降口３へ着脱可能な枢着部５ａ，５ｂが設けられており，一方を昇降口３の周縁に枢着する辺（ヒンジ結合辺）としたまま，他方を昇降口３の周縁から離脱する辺（自由辺）とすることにより，図５（Ｃ）に示すように，足場板２の長さ方向から見て前後何れの方向（又は左右何れの方向）からも開閉可能に昇降口３へ結合することができる。また，昇降口付近に配置された足場建枠７の鉛直部材を戸当たりとするか，或いは枢着部５ａ，５ｂの開き角度を限定することにより，扉板５の開放角度がほぼ９０度となるように制限することができる。
【０００４】
更に，図５（Ｃ）に示すように，各足場板２の昇降口３の近傍に下階層へ続く梯子６を接続し，階層状の足場板２の相互間を作業員が梯子６経由で移動できるようにする。図示例では，例えば各足場板２の昇降口３の四隅部に設けたブラケット（図示せず）に梯子６の端部を挿入することにより梯子６と足場板２とを接続するが（特許文献４及び５参照），梯子６は他の適当な方法で昇降口３の近傍に接続することもできる。図５（Ｃ）に示す２階層の足場板２において，上層階の作業員が下層階へ移動する場合は，上層階の昇降口３の扉板５を開放し，梯子６を使用して下層階へ降りながら頭上の扉板５を閉鎖する。逆に下層階の作業員が上層階へ移動する場合は，梯子６を使用して上層階へ昇りながら頭上の扉板５を開放し，上層階へ到着した後に扉板５を閉鎖する。図示例のような仮設足場１は，作業員の容易な昇降移動を助けると共に，比較的短時間で簡単に組み立て・解体ができる利点を有しており，必要に応じて足場板２に作業員の転落防止用の手すり等を含めることもできる。
【先行技術文献】
【特許文献】
【０００５】
【特許文献１】実公平２−０２２４３４号公報
【特許文献２】特開平４−３３６１６１号公報
【特許文献３】特開平１１−１０７５２２号公報
【特許文献４】特開２００３−１０５９６７号公報
【特許文献５】特開２００３−１０５９６８号公報
【発明の概要】
【発明が解決しようとする課題】
【０００６】
しかし，図５に示す従来の仮設足場１は，梯子６を使用しながら昇降口３を開閉する必要があり，昇降口６の開閉作業時に作業員が梯子６を片手で支持しなければならないので，作業員の転落事故等につながる危険性がある。また，扉板５を開放した状態で梯子６を昇降する際に，何らかの振動等によって９０度開放した扉板５が自重により勝手に閉まり，作業員が手指を挟み込む事故や頭をぶつける事故につながる可能性もある。作業員の安全な昇降移動を可能とするために，作業員が昇降中に片手で昇降口の開閉作業をしないですむような技術の開発が求められている。
【０００７】
そこで本発明の目的は，作業員が昇降中に片手で開閉作業をしないですむような安全な仮設足場の昇降口扉板の開閉方法及び装置を提供することにある。
【課題を解決するための手段】
【０００８】
図１及び図２の実施例を参照するに，本発明による仮設足場の昇降口扉板の開閉方法は，複数の水平な昇降口３付き足場板２を所要鉛直方向間隔で階層状に組み立て，各足場板２の昇降口３周縁に扉板５を９０度開放可能にヒンジ結合し，各足場板２の昇降口３近傍に下階層へ続く梯子６を接続した仮設足場１において，扉板５の自由辺に第１ワイヤ１２及び第２ワイヤ１６の一端１２ａ，１６ａをそれぞれ固定し，第１ワイヤ１２の他端１２ｂを扉板５の上面及びヒンジ結合辺を介して下層へ吊り下げると共に吊り下げ端１２ｂに所要重量Ｗのウェイト１５を取り付け，第２ワイヤ１６の他端１６ｂを扉板５の下面から下層へ吊り下げ，扉板５の開放時に扉板５又は第２ワイヤ１６に閉鎖方向の力を加えるまで第１ワイヤ１２のウェイト重量Ｗにより扉板５を開放位置に保持し，扉板５の閉鎖時に扉板５又は第１ワイヤ１２に開放方向の力を加えるまで扉板５の自重Ｍにより扉板５を閉鎖位置に保持してなるものである。
【０００９】
また，図１及び図２の実施例を参照するに，本発明による仮設足場の昇降口扉板の開閉装置は，所要鉛直方向間隔で階層状に組み立てた複数の水平な昇降口３付き足場板２と，各足場板２の昇降口３周縁に９０度開放可能にヒンジ結合した扉板５と，各足場板２の昇降口３近傍に接続した下階層へ続く梯子６とを有する仮設足場１において，扉板５の自由辺に一端１２ａを固定して他端１２ｂを扉板５の上面及びヒンジ結合辺を介して下層へ吊り下げる第１ワイヤ１２，扉板５の自由辺に一端１６ａを固定して他端１６ｂを扉板５の下面から下層へ吊り下げる第２ワイヤ１６，及び第１ワイヤ１２の吊り下げ端１２ｂに取り付ける所要重量Ｗのウェイト１５を備え，扉板５の開放時に扉板５又は第２ワイヤ１６に閉鎖方向の力を加えるまで第１ワイヤ１２のウェイト重量Ｗにより扉板５を開放位置に保持し，扉板５の閉鎖時に扉板５又は第１ワイヤ１２に開放方向の力を加えるまで扉板５の自重Ｍにより扉板５を閉鎖位置に保持してなるものである。
【００１０】
好ましくは，図２に示すように，扉板５のヒンジ結合辺近傍の所要高さＨの位置に滑車２１を設け，第１ワイヤ１２の他端１２ｂを扉板５の上面及び滑車２１を介して下層へ吊り下げる。滑車２１は，図示例のように，例えば各足場板２と交差する鉛直方向に配置された足場建枠７の鉛直部材８に取り付けることができる。
【００１１】
更に好ましくは，図２に示すように，足場板２の昇降口近傍に鉛直方向に配置された足場建枠７の鉛直部材８を設け，第１ワイヤ１２の吊り下げ端１２ｂに足場建枠７の鉛直部材８に沿って滑るガイド部材２２を取り付ける。望ましい実施例では，図３に示すように，第１ワイヤ１２及び第２ワイヤ１６を，扉板５の自由辺に中央部１１が固定された単独のワイヤ１０の両端部１０ａ，１０ｂとすることができる。
【発明の効果】
【００１２】
本発明による仮設足場の昇降口扉板の開閉方法及び装置は，仮設足場板２に一辺がヒンジ結合された昇降口扉板５の自由辺に第１ワイヤ１２の一端１２ａ及び第２ワイヤ１６の一端１６ａをそれぞれ固定し，第１ワイヤ１２の他端１２ｂを扉板５の上面及びヒンジ結合辺を介して下層へ吊り下げると共に所要重量Ｗのウェイト１５を取り付け，第２ワイヤ１６の他端１６ｂを扉板５の下面から下層へ吊り下げ，扉板５の開放時に扉板５又は第２ワイヤ１６に閉鎖方向の力を加えるまで第１ワイヤ１２のウェイト重量Ｗにより扉板５を開放位置に保持し，扉板５の閉鎖時に扉板５又は第１ワイヤ１２に開放方向の力を加えるまで扉板５の自重Ｍにより扉板５を閉鎖位置に保持するので，次の効果を奏する。
【００１３】
（イ）いったん扉体５を開放すると，扉板５又は第２ワイヤ１６に閉鎖方向の力を加えるまで扉板５が開放位置に保持されるので，昇降中の作業員が手指を挟み込む事故や頭を打つ事故の発生を防ぐことができる。
（ロ）また，いったん扉板５を閉鎖すると，扉板５又は第１ワイヤ１２に開放方向の力を加えるまで扉板５が閉鎖位置に保持されるので，扉板５が突然に開放して作業員の転落事故につながる危険も避けることができる。
（ハ）下層階へ移動する作業員が扉板５を開放して梯子６を下層階へ降りたのち，下層階から第２ワイヤ１６の吊り下げ端１６ｂを押し下げて扉板５を閉鎖することができ，梯子６を使用しながら片手で扉板５を閉鎖する作業を避けることができる。
（ニ）また，上層階へ移動する作業員が下層階から第１ワイヤ１２の吊り下げ端１２ｂを押し下げて扉板５を開放したうえで移動することができ，梯子６を使用しながら片手で扉板５を開放する作業も避けることができる。
【図面の簡単な説明】
【００１４】
以下，添付図面を参照して本発明を実施するための形態及び実施例を説明する。
【図１】は，本発明による昇降口扉板の開閉装置の一実施例の説明図である。
【図２】は，図１の開閉装置の原理を示す説明図である。
【図３】は，本発明による昇降口扉板の開閉装置の他の実施例の説明図である。
【図４】は，本発明による昇降口扉板の開閉装置の更に他の実施例の説明図である。
【図５】は，従来の仮設足場および昇降口扉板の一例の説明図である。
【発明を実施するための形態】
【００１５】
図１は，例えばダム等の大型土木構造物の工事現場で用いるシステム型枠の仮設足場に本発明の開閉装置を適用した実施例を示す。システム型枠は，鉄筋コンクリート躯体を施工する際に用いる型枠を大型化，ユニット化して作業効率を高めたものであり，予め工場等で組み立てた所要大きさ（例えば８ｍ×８ｍ程度）のユニット型枠を工事現場において所要ユニット数（例えば１０×１０ユニット程度）だけ接合してコンクリートを打設することにより，躯体の精度向上と工期の短縮とを図る工法である。図示例の仮設足場１は，そのような各ユニット型枠に隣接して組み立てられ，所要ユニット数のユニット型枠を接合する際の作業員Ａ（図１参照）の昇降移動・水平移動に使用される。ただし，本発明の適用対象は土木構造物の工事現場に限らず，従来の仮設足場を用いている工事現場に広く本発明を適用することができる。
【００１６】
図示例の仮設足場１は，図５を参照して上述した従来の仮設足場１と同様に，鉛直方向に連結した足場建枠７の横部材９に係止しながら所要鉛直方向間隔で階層状に組み立てた複数の水平な昇降口３付き足場板２と，各足場板２の昇降口３の周縁に９０度開放可能にヒンジ結合した扉板５と，各足場板２の昇降口３近傍に接続した下階層へ続く梯子６とを有する。昇降口３の扉板５は，例えば図５（Ｂ）と同様に対向する２辺に枢着部５ａ，５ｂが設けられたものであるが，少なくとも一辺に枢着部を設けたものであれば足りる。図示例の扉板５の開放角度は，例えば昇降口付近の足場建枠７の鉛直部材８を戸当たりとすることにより，ほぼ９０度に制限されている。
【００１７】
図示例の昇降口扉板５の開閉装置は，各足場板２の扉板５の自由辺（ヒンジ結合辺と対向する辺）に一端１２ａを固定した第１ワイヤ１２と，同じく扉板５の自由辺に一端１６ａを固定した第２ワイヤ１６とを有する。ワイヤ１２，１６の材質にとくに制限はないが，工事期間中に容易に切断されない合成繊維製，天然繊維製，又は金属製とすることができる。また各ワイヤ１２，１６の長さは，足場板２の鉛直方向間隔と同程度又はそれより若干短くすることができる。扉板５のヒンジ結合辺付近に適当な孔が存在している場合は，その孔にワイヤ１２，１６の一端１２ａ，１６ａを通して結び付けることにより固定できるが，必要に応じて適当な固定具を用いてワイヤ１２，１６の一端１２ａ，１６ａを扉板５の自由辺付近に固定してもよい。
【００１８】
図２は，足場板２の扉板５に取り付けた第１ワイヤ１２及び第２ワイヤ１６の詳細を示しており，同図（Ａ）は足場板２の扉板５を水平方向から見た断面図，同図（Ｂ）は上方から見た鳥瞰図を表す。同図（Ａ）から分かるように，第１ワイヤ１２の他端１２ｂは扉板５の上面及びヒンジ結合辺を介して下層へ吊り下げ，第２ワイヤ１６の他端１６ｂは扉板５の下面から下層へ吊り下げる。すなわち，第１ワイヤ１２はその吊り下げ端１２ｂに加えた下向きの力が扉板５を開放する方向に働くように扉板５と接続し，第２ワイヤ１６はその吊り下げ端１６ｂに加えた下向きの力が扉板５を閉鎖する方向に働くように扉板５と接続する。
【００１９】
また，第１ワイヤ１２の吊り下げ端１２ｂには所要重量Ｗのウェイト１５を取り付け，扉板５に対して常に開放する方向の力が加わるようにする。第１ワイヤ１２の吊り下げ端１２ｂにウェイト重量Ｗを取り付けることにより，開放中の扉板５が自重によって勝手に閉まることを防止できる。ただし，ウェイト１５の荷重Ｗが大きすぎると，開放中の扉板５の勝手な閉鎖を防止できるだけでなく，閉鎖中の扉板５がウェイト重量Ｗによって不所望に開いてしまう危険がある。従って，ウェイト１５の荷重Ｗは，開放中の扉板５が勝手に閉まることを防止できると共に，閉鎖中の扉板５が勝手に開くことがない範囲内に設定する。
【００２０】
好ましい実施例では，図２に示すように，足場板２の扉板５のヒンジ結合辺近傍の所要高さＨの位置に滑車２１を設け，第１ワイヤ１２の他端１２ｂを扉板５の上面から滑車２１を介して下層へ吊り下げる。図示例ではヒンジ結合辺近傍の足場建枠７の鉛直部材８の所要高さＨの位置に滑車２１を取り付けているが，滑車２１の取付け位置は図示例に限らず，ヒンジ結合辺近傍の適当な部材に取り付けることができる。滑車２１の設置高さをＨとし，扉板５のヒンジ結合辺から自由辺までの長さをＬとすると，図２（Ａ）に示すように，第１ワイヤ１２と閉鎖中の扉板５とが傾斜角度θ（ｔａｎθ＝Ｈ／Ｌ）で交差することになり，扉板５の自重Ｍに抗して扉板５を開放するために第１ワイヤ１２の固定端１２ａに加える力Ｆは，傾斜角度θを用いて式（１）のように表すことができる。（１）式から分かるように，滑車２１の取り付け高さＨを高くして角度θを大きくすることにより，扉板５を開放するために必要な第１ワイヤ１２に加える力Ｆを小さく抑えることができる利点がある。
【００２１】
Ｆ＝（１／ｓｉｎθ）・（Ｍ／２）  ……………………………………………（１）
Ｆ＝ｃｏｓα・ｃｏｓ（４５°−α／２）・（Ｍ／２）  ……………………（２）
【００２２】
また，図２（Ｃ）は，滑車２１の設置高さＨと扉板５の長さＬとが等しい場合（θ＝４５°とした場合）に，第１ワイヤ１２に（１）式の力を加えて扉板５を持ち上げたのち，開放角度α＝９０°になるまで扉板５を開放するために第１ワイヤ１２に加える力Ｆは，開放角度αを変数として式（２）のように表されることを示している。（２）式は，扉板５を９０度まで開放するために必要な力Ｆが開放角度αの増加に伴って徐々に減少することを示しており，扉板５を開放するために必要な力Ｆは開放角度α＝０の時が最大であることを示している。すなわち，第１ワイヤ１２の吊り下げ端１２ｂに取り付けるウェイト重量Ｗを，（１）式の力Ｆより若干小さくなるように設定すれば，閉鎖時の扉板５が勝手に開くことはなくなり，開放中の扉板５が勝手に閉まることも防止できる。
【００２３】
更に好ましい実施例では，図２（Ａ）に示すように，第１ワイヤ１２の吊り下げ端１２ｂに足場建枠７の鉛直部材８に沿って滑るガイド部材２２を取り付ける。第１ワイヤ１２の吊り下げ端１２ｂに取り付けたウェイト１５は，扉板５の開閉に応じて上下方向に位置を変動し，下層階において振子のように揺動するので，下層階の作業員Ａの作業の妨げとなりうる。図示例のように，ガイド部材２２によって第１ワイヤ１２の吊り下げ端１２ｂに足場建枠７の鉛直部材８に沿って滑動させることにより，吊り下げ端１２ｂのウェイト１５の揺動を防ぐことができる。また，後述するように下層階から第１ワイヤ１２の吊り下げ端１２ｂを押し下げて上層階の扉板５を開放する場合も，ガイド部材２２を用いることで吊り下げ端１２ｂを一定方向へ効率的に押し下げることができる。
【００２４】
ただし，滑車２１及びガイド部材２２は本発明に必須のものではなく，例えば図４に示すように扉板５のヒンジ結合辺近傍に第１ワイヤ１２の中間部分を係止して向きを変えることができる適当な部材２３があれば，その部材２３を介して第１ワイヤ１２の他端１２ｂを下層へ吊り下げることができ，この場合は滑車２１を省略することができる。また，図４のように足場板２からの高さＨ０が低い係止部材２３のであっても，（１）式により扉板５を開放するために必要な力Ｆを計算することができ，その力Ｆより若干小さくなるように第１ワイヤ１２の吊り下げ端１２ｂに取り付けるウェイト重量Ｗを適当に選択すれば，閉鎖時の扉板５が勝手に開くことを防ぎ，開放中の扉板５が勝手に閉まることも防ぐことができる。
【００２５】
第２ワイヤ１６の吊り下げ端１６ｂには，開放された扉板５を閉鎖するときのみ力を加えれば足り，常時は扉板５の自重によって扉板５が閉鎖位置に保持されるので，第１ワイヤ１２の吊り下げ端１２ｂのようにウェイト１５を取り付ける必要はない。ただし，扉板５の開閉に応じて第２ワイヤ１６の吊り下げ端１６ｂの不所望な揺動等を避けるため，必要に応じて第２ワイヤ１６の吊り下げ端１６ｂにも揺動を抑えることが程度の軽量なウェイト１９を取り付けることもできる。
【００２６】
図１の実施例において，上層階の作業員Ａが下層階へ移動する場合は，先ず上層階の閉鎖された昇降口３の扉板５に手をかけて開放方向の力を加えることにより開放する。扉板５には第１ワイヤ１２のウェイト重量Ｗによって常に開放する方向の力が加わっているので，扉板５を少し持ち上げてやれば半自動的にウェイト重量Ｗによって扉板５を簡単に開放することができる。扉板５の開放後に梯子６を使用して下層階へ降りるが，第１ワイヤ１２のウェイト重量Ｗにより扉板５を開放位置に保持する力Ｆが加わった状態のため，降りる途中に扉板５が自重により勝手に閉まるおそれがなく，作業員Ａが手指を挟み込む事故や頭を打つ事故の発生を防ぐことができる。
【００２７】
また，従来のように作業員Ａが梯子６を降りながら頭上の扉板５を閉じる必要はなく，梯子６を下層階へ降りたのち第２ワイヤ１６の吊り下げ端１６ｂを押し下げて扉板５を閉鎖することができる。すなわち，下層階に吊り下げた第２ワイヤ１６を使用して，下層階から上層階の扉板５を閉鎖することにより，作業員Ａが梯子６を降りながら片手で扉板５を閉鎖する危険を避けることができる。扉板５を閉じるために第２ワイヤ１６に加える押し下げ力が過大となるときは，第１ワイヤ１２のウェイト重量Ｗを少し軽めに調整するか，又は下層階から第２ワイヤ１６を押し下げると同時に第１ワイヤ１２のウェイト１５を少し持ち上げてやると閉めやすくなる。
【００２８】
逆に，図１の実施例において，下層階の作業員Ａが上層階へ移動する場合は，先ず下層階から第１ワイヤ１２の吊り下げ端１２ｂを押し下げて昇降口３の扉板５を開放し，扉板５の開放後に梯子６を使用して上層階へ昇る。すなわち，作業員Ａが梯子６を昇りながら片手で扉板５を開放する危険を避けることができる。上層階へ昇ったのち昇降口３の扉板５に手をかけて閉鎖方向の力を加えることにより閉じるが，その際にも第１ワイヤ１２のウェイト重量Ｗの効果によって扉板５がゆっくりと閉まるので，作業員Ａが手指を挟む等の可能性を抑えることができる。
【００２９】
本発明の開閉装置は，図５のような従来の仮設足場１に第１ワイヤ１２と第２ワイヤ１６とウェイト１５とを取り付けるだけの簡単な作業により短時間で導入することができ，仮設足場１の解体時に併せて簡単に解体ができる利点がある。また，作業員Ａが梯子６を昇降しながら片手で扉板５を開閉する作業を避けることができると共に，いったん扉板５を閉鎖すると閉鎖方向の力を加えるまで開放状態が保持されるので，昇降中の作業員Ａが手指を挟み込む事故や頭を打つ事故の発生も防ぐことができる。
【００３０】
こうして，本発明の目的である「作業員が昇降中に片手で開閉作業をしないですむような安全な仮設足場の昇降口扉板の開閉方法及び装置」の提供を達成することができる。
【実施例１】
【００３１】
以上，各足場板２の扉板５の自由辺に一端を固定した第１ワイヤ１２と第２ワイヤ１６とを用いた本発明の開閉装置について説明したが，図３に示すように，第１ワイヤ１２及び第２ワイヤ１６を単独のワイヤ１０の両端部１０ａ，１０ｂとすることも可能である。すなわち，図３の実施例では，足場板２の鉛直方向間隔の２倍程度の長さの単独ワイヤ１０を用い，その中央部を足場板２の昇降口３の扉板５の自由辺に固定し，ワイヤ１０の一端部１０ａを扉板５の上面及びヒンジ結合辺を介して下層へ吊り下げて上述した第１ワイヤ１２として機能させ，ワイヤ１０の他端部１０ｂを扉板５の下面から下層へ吊り下げて上述した第２ワイヤ１６として機能させる。単独のワイヤ１０を用いて本発明の開閉装置を構成することにより，本発明の開閉装置の導入作業及び解体作業の一層簡単化を期待することができる。
【符号の説明】
【００３２】
１…仮設足場                        ２…足場板
３…昇降口                          ４…係止フック
５…扉板                            ５ａ，５ｂ…ヒンジ部
６…梯子                            ７…足場用建枠
８…鉛直部材                        ９…横部材
１０…ワイヤ                        １０ａ…一端（第１端）
１０ｂ…他端（第２端）              １１…中央固定部
１２…第１ワイヤ                    １２ａ…固定端
１２ｂ…自由端                      １５…ウェイト
１６…第２ワイヤ                    １６ａ…固定端
１６ｂ…自由端                      １９…ウェイト
２１…滑車                          ２２…ガイド部材
２３…係止部材
Ａ…作業員                          α…開放角度
θ…傾斜角度                        Ｍ…扉板の自重
Ｗ…ウェイト重量
【図１】
0006302820.tif 000002
【図２】
0006302820.tif 000003
【図３】
0006302820.tif 000004
【図４】
0006302820.tif 000005
【図５】
0006302820.tif 000006